(57)【要約】【課題】  洗浄水を節約して有効に使用できる洗浄容器と流し台を提供する。【解決手段】  洗浄槽内壁の相対する位置に仕切り板を挿入するための溝を有し、該溝に仕切り板を挿入して洗浄槽を複数の区画に区分し、洗浄水を洗浄水注入口を具備した一方の区画から洗浄水排出口を具備した他方の区画に移動させるように構成した洗浄容器であって、前記洗浄水排出口が前記洗浄水注入口を具備した区画の最高水位面よりも低位置に配置されている洗浄容器。仕切り板を挿入するための溝は複数箇所に設けても良いし、複数枚の仕切り板を使用して洗浄槽を多数の区画に区分することもできる。家庭で食器洗いに使用する流し台としても利用できる。【選択図】図２
2007236903.tif 000002
【特許請求の範囲】
【請求項１】
洗浄槽内壁の相対する位置に仕切り板を挿入するための溝を有し、該溝に仕切り板を挿入して洗浄槽を複数の区画に区分し、洗浄水を洗浄水注入口を具備した一方の区画から洗浄水排出口を具備した他方の区画に移動させるように構成した洗浄容器であって、前記洗浄水排出口が前記洗浄水注入口を具備した区画の最高水位面よりも低位置に配置されていることを特徴とする洗浄容器。
【請求項２】
前記仕切り板を挿入するための溝が１対であって、洗浄槽が２区画に区分されてなることを特徴とする請求項１に記載の洗浄容器。
【請求項３】
前記仕切り板を挿入するための溝が複数箇所設けられ、該複数の溝に複数の仕切り板を挿入して洗浄槽が３区画以上に区分されてなることを特徴とする請求項１に記載の洗浄容器。
【請求項４】
前記仕切り板の上端に洗浄水をオーバーフローさせるための切り込みを有することを特徴とする請求項１から請求項３のいずれか１項に記載の洗浄容器。
【請求項５】
前記仕切り板の下端に洗浄水を通過させるための切り込みを有することを特徴とする請求項１から請求項３のいずれか１項に記載の洗浄容器。
【請求項６】
前記仕切り板の上端に洗浄水をオーバーフローさせるための切り込みを有し、仕切り板の下端にも洗浄水を通過させるための切り込みを有することを特徴とする請求項１から請求項３のいずれか１項に記載の洗浄容器。
【請求項７】
前記請求項１から請求項７のいずれか１項に記載の洗浄容器を備えたことを特徴とする流し台。
【発明の詳細な説明】
【技術分野】
【０００１】  本発明は、複数に仕切られた洗浄槽を備えた洗浄容器およびその洗浄容器を備えた流し台の構造に関するものである。
【背景技術】
【０００２】  従来から、家庭用の流し台として２槽シンクを備えた２槽式流し台が知られている。２槽式流し台では、例えば一方のシンクに洗剤を入れて汚れた食器の下洗いをした後、他方のシンクに食器を移して流水で綺麗に洗い上げる使用方法が行われている。各シンクには給水栓と排水栓が付いており、それぞれ別々に洗浄水を給排水できるようにしてある。
しかし、各シンクに仕切り板を挿入できる構造のものは見当たらない。
また、上記２槽式流し台の一方のシンクに、例えば洗浄ブラシ等を配備して食器洗浄器としたものも提案されている（例えば、特許文献１参照。）。この食器洗浄器においても各シンクには給水栓と排水栓が付いており、それぞれ別々に洗浄水を給排水できるようにしてある。
しかし、各シンクに仕切り板を挿入できる構造のものは見当たらない。また、市販の洗浄容器においても仕切り板を挿入できる構造のものは無い。複数のシンクを有する工業用の洗浄容器においては、各槽を配管等で連結して洗浄水を流動させて節水を計るようにしたものがある。
【特許文献１】  特開平１１−１６４７４７号公報
【発明の開示】
【発明が解決しようとする課題】
【０００３】  上記に記載の流し台や食器洗浄器においては、食器等を綺麗に洗浄するためには、各シンクの洗浄水が汚れる毎に全量の洗浄水を入れ替えねばならず、また、仕上げ洗浄では洗浄水を掛け流しにして廃水しているので洗浄水の使用量が多くなる欠点もある。
本発明は上記難点を解消するためになされたものであって、洗浄水を有効に活用することにより、洗浄水の使用量を節約しても綺麗に洗浄することができる洗浄容器、およびそれを使用した流し台を提供しようとするものである。
【課題を解決するための手段】
【０００４】  上記課題を解決するために、本発明の洗浄容器は洗浄槽内壁の相対する位置に仕切り板を挿入するための溝を有し、該溝に仕切り板を挿入して洗浄槽を複数の区画に区分し、洗浄水を洗浄水注入口を具備した一方の区画から洗浄水排出口を具備した他方の区画に移動させるように構成した洗浄容器であって、前記洗浄水排出口が前記洗浄水注入口を具備した区画の最高水位面よりも低位置に配置されている洗浄容器とした。
本発明の洗浄容器で最も単純なのは、前記仕切り板を挿入するための溝が１対であって１枚の仕切り板を使用して洗浄槽を２区画に区分している洗浄容器である。
本発明の洗浄容器は上記に限らず、前記仕切り板を挿入するための溝が複数箇所設けられ、該複数の溝に複数の仕切り板を挿入して洗浄槽が３区画以上に区分されてなる洗浄容器であっても良い。
家庭用の食器洗浄用流し台としては、２区分あれば充分である。洗浄槽は２区分に限らず、洗浄液の種類に合わせて３区分以上いくつに区分することも可能である。多区分の洗浄槽は、工業用洗浄装置として有用となる。
本発明の洗浄容器では、洗浄水を各区分順に移動させて洗浄するので洗浄水を節約することができる。【０００５】  本発明の洗浄容器では前記仕切り板の上端に洗浄水をオーバーフローさせるための切り込みを有する洗浄容器とすることができる。
あるいはまた、前記仕切り板の下端に洗浄水を通過させるための切り込みを有する洗浄容器とすることもできる。
さらに、前記仕切り板の上端に洗浄水をオーバーフローさせるための切り込みを有し、仕切り板の下端にも洗浄水を通過させるための切り込みを有する洗浄容器であっても良い。
洗浄水が洗浄槽内をなるべく広範囲に淀みなく循環できるようにするためである。【０００６】  本発明の流し台は、上記に記載したいずれかの洗浄容器を備えた食器洗浄用の流し台である。本発明の流し台によれば、洗浄水を有効に活用することにより、洗浄水の使用量を節約しても綺麗に食器を洗浄することができる
【発明の効果】
【０００７】  本発明によれば、洗浄水を繰り返し使用することになるので、洗浄水を有効に活用することができ、使用する洗浄水の量を節約しても綺麗に洗浄できるので、省資源に極めて効果がある。
また、簡単な構造で洗浄槽の大きさや数を適宜変更することができるので、洗浄容器の利用目的や範囲を家庭用の流し台に限らず、工業用の洗浄装置としても自由にに変更することができる。
【発明を実施するための最良の形態】
【０００８】  図１に、本発明の洗浄容器の平面配置図を示し、図２には図１の線Ａ−Ａ’に沿った断面図を示す。図では洗浄槽を３区分にできる洗浄容器の例を挙げて示してある。
本発明の洗浄容器１は、洗浄槽２の２面の側壁の相対向する位置に、仕切り板を挿入するための１対の溝３，３を有し、該溝３，３に仕切り板４を挿入して洗浄槽２を複数の区画に区分し、一方の端部に洗浄水注入口５を具備し他方の端部に洗浄水排出口６を具備した洗浄容器である。図では実線で示したように仕切り板４を１枚挿入して洗浄槽２を２区分した例を示したが、仕切り板４の位置は図の破線で示した位置であっても良い。
仕切り板４の上部もしくは下部には、洗浄水を一方の区画から他方の区画に移動させるための切り欠きを有しており、洗浄水はこの切り欠きを通して順次流動するように構成してある。
また、溝３，３は１箇所でも良いし図のように２箇所設けて２枚の仕切り板４を挿入し、洗浄槽２を３区画に仕切っても良い。このように必要により溝３，３を複数箇所設けて複数の仕切り板を挿入し、洗浄槽を多数の区画に区分して使用することもできる。
あるいはまた、仕切り板を挿入する位置を適宜変更して、被洗浄物の汚れに応じて下洗いと、仕上げ洗浄の区画の広さを変更して使用しても良い。【０００９】  図２に示すように、洗浄水排出口６のレベルｃは、前記洗浄水注入口５を具備した区画の最高水位面ａよりも低位置に配置されており、区分された各区画は互いに連通しているので、洗浄水は水位に応じた圧力差により水位の高い方から水位の低い方に向けて自然に流動する。洗浄水排出口６に近い区分に例えば油汚れのひどい食器等の被洗浄物を入れ、洗剤等を使用して下洗いした後、洗浄水注入口５に近い区分に食器等の被洗浄物を入れて仕上げ洗浄すれば、少ない洗浄水を有効に利用して綺麗に洗浄することが可能となる。【００１０】  図３から図５は仕切り板４の正面図である。図３は、仕切り板４の上部に２箇所の切り欠き４ａ，４ｂを設けた例を示す。切り欠き４ａの位置や個数、大きさは特に制限はなく、洗浄槽の大きさに従って適宜配置すればよい。切り欠き４は洗浄水をオーバーフローさせて隣の区画に流すためのものであって、僅かに低く切り込んであれば洗浄水は容易に流れ落ちることができる。
図４は、仕切り板４の下部に２箇所の切り欠き４ａ，４ｂを設けた例を示す。この場合も切り欠き４ａの位置や個数、大きさは特に制限はなく、洗浄槽の大きさに従って適宜配置すればよい。切り欠き４ａの高さも流出させたい洗浄水の量に応じて適宜決めれば良い。
図５は、図３の例と図４の例を組み合わせたものであって、仕切り板４の上下部分に洗浄水を隣の区画に流すための切り欠き４ａ，４ｂ，４ｃ，４ｄを設けた例を示している。この場合も切り欠き４の取付位置、個数、大きさ等は、洗浄槽の大きさに従って任意の位置の配置することができる。
洗浄水給水口５、仕切り板４の切り欠き４ａ，４ｂ，４ｃ，４ｄ、及び洗浄水排水口６は、図１のように平面位置あるいは立体的にも各洗浄槽区画を互いに対角線状をなすような位置に配置するのが好ましい。
洗浄水が各洗浄槽内を有効に循環できるようにするためである。【００１１】  本発明の洗浄容器の使用方法を説明すれば、汚れた食器等の被洗浄物を、先ず下洗い洗浄槽をなす洗浄水排水口６に近い区画の洗浄槽に入れる。この洗浄槽には前段区画の洗浄槽から流入してきたやや汚れた洗浄水が入っている。洗浄水はやや汚れているが下洗いにはまだ十分利用できるものである。この区画の洗浄槽には例えば中性洗剤等を入れておけば、食器に付着した油脂類を効果的に洗い落とすことができる。
次に、食器等の被洗浄物を仕上げ洗浄槽である洗浄水給水口５を備えた区画の洗浄槽へ移す。
ここではから綺麗な洗浄水が供給されているので、被洗浄物を綺麗に洗い上げる。
このように浄水給水口５から供給された洗浄水は、自然の力でゆっくりと移動し、洗浄水排水口６から排出される間に有効に洗浄機能を発揮することができる。各区画の大きさは仕切り板４の位置を変えることにより、適宜変更することが可能となる。【００１２】  なお、この間に汚れの程度によっては必要に応じて中間の洗浄槽区画を設けても良い。中間の区画の洗浄槽は食器等の被洗浄物に付着した洗剤等を洗い落とすための洗浄槽で、仕上げの洗浄槽区画から流入してきた洗浄水が入っている。ここで食器等の被洗浄物は、ほぼ綺麗に洗浄できる。
洗浄槽の中間区画は電子部品の洗浄等で、複数の洗浄剤を使用する場合には特に有効である。【００１３】  本発明の流し台は、上記の本発明の洗浄容器を備えたものであって、上記洗浄容器をキャビネットに収容し、必要によりシンク蓋、水切り棚、包丁立て、布巾掛け等の通常使用されている付属品を装備させることができる。
【図面の簡単な説明】
【００１４】
【図１】  本発明の洗浄容器の一例を示す平面図である。
【図２】  図１の線Ａ−Ａ’に沿った断面を示す図である。
【図３】  仕切り板の一例を示す正面図である。
【図４】  仕切り板の他の例を示す正面図である。
【図５】  仕切り板の別の例を示す正面図である。
【符号の説明】
【００１５】  １・・・・・洗浄容器、２・・・・・洗浄槽、３・・・・・溝、４・・・・・仕切り板、５・・・・・洗浄水給水口、６・・・・・洗浄水排水口、７・・・・・排水孔
【図１】
2007236903.tif 000003
【図２】
2007236903.tif 000004
【図３】
2007236903.tif 000005
【図４】
2007236903.tif 000006
【図５】
2007236903.tif 000007